(57)【特許請求の範囲】
【請求項１】
研磨材被覆テープと、該テープ研磨材被覆面をクランクシャフトを含む軸物の被加工物表面に接触させ押圧する剛性表面を有するシュー組立体とからなり、被加工物の回転軸が回転されて加工されるテープラップ装置において、案内台上で被加工物を支持するヘッドストックとテールストックを連結部材で一体的に連結し、案内台上で軸方向に移動可能に直線駆動用玉軸受又はころ軸受を介して支持し、案内台上のオシレーション機構のカム軸が一体的に連結したヘッドストックとテールストックを、該連結部材を介してオシレーション運動を与え、かつ該オシレーション機構のカム軸と該連結部材との間にシリンダを設け、被加工物を取替えるとき、該シリンダが該一体的に連結したヘッドストックとテールストックを該直線駆動用玉軸受又はころ軸受の１個のボール又はローラの１回転分以上のストロークだけ往復動させるようにしたことを特徴とするテープラップ装置のオシレーション機構。
【請求項２】
該連結部材は連結部材本体、該連結部材本体と該ヘッドストックとテールストックとの間にそれぞれ設けた１対の小シリンダを有し、該シリンダは該連結部材本体と該案内台上のオシレーション機構のカム軸との間に設けられていることを特徴とする請求項１記載のテープラップ装置のオシレーション機構。
【発明の詳細な説明】
【技術分野】
【０００１】
本発明は、研磨材被覆テープと、該テープ研磨材被覆面をクランクシャフトを含む軸物の被加工物の回転軸表面に接触させ押圧する剛性表面を有するシュー組立体とからなり、被加工物の回転軸が回転されて加工されるテープラップ装置のオシレーション機構に関する。
【背景技術】
【０００２】
従来の研磨材被覆テープと、該テープ研磨材被覆面をクランクシャフトを含む軸物の被加工物の回転軸表面に接触させ押圧する剛性表面を有するシュー組立体とからなり、被加工物の回転軸が回転されて加工されるテープラップ装置のオシレーション機構としては、例えば特許文献１に開示するものがある。このものは特許文献１の図５に記載するように、案内台上で被加工物を支持するヘッドストックとテールストックを連結ロッドで一体的に連結し、案内台上で軸方向に移動可能に直動スライドを介して支持し、案内台上のオシレーション機構が一体的に連結したヘッドストックとテールストックを、偏心カム軸を介して、オシレーション運動を行っていた。特許文献１構成のものは、被加工物の回転軸の回転数が遅い場合のオシレーションを前提とした。被加工物の回転軸を高速にした場合のオシレーションでは、オシレーション追従性を向上させるため、直動スライドに直線駆動用玉軸受又はころ軸受を使用していた。
【特許文献１】特許第３０１２７８９号公報  図５
【発明の開示】
【発明が解決しようとする課題】
【０００３】
一般に、オシレーション運動としては、ストロークを長くすると軸方向の加工幅が減少すので、案内台上で軸方向に微小量だけの微小オシレートが加工上望ましいが、従来の特許文献１に開示するオシレーション機構では、案内台上でヘッドストックとテールストックを直動スライドに直線駆動用玉軸受又はころ軸受を使用して軸方向に移動可能に支持し、微小オシレートすると、直動スライド軸受である直線駆動用玉軸受のボール又は直線駆動用ころ軸受のローラが１回転することなく、微小回転を繰返すので、ボール又はローラの微小回転面にフレッチイング摩耗が発生し、直動スライド軸受である直線駆動用玉軸受のボール又はころ軸受のローラの寿命が極端に低下するという課題があった。
【０００４】
本発明の課題は、研磨材被覆テープと、該テープ研磨材被覆面をクランクシャフトを含む軸物の被加工物の回転軸表面に接触させ押圧する剛性表面を有するシュー組立体とからなり、被加工物の回転軸が回転されて加工されるテープラップ装置において、案内台上でヘッドストックとテールストックを軸方向に移動可能に支持する直線駆動用玉軸受のボール又は直線駆動用ころ軸受のローラの微小回転面にフレッチイング摩耗が発生することを防止したテープラップ装置のオシレーション機構を提供することにある。
【課題を解決するための手段】
【０００５】
このため本発明は、研磨材被覆テープと、該テープ研磨材被覆面をクランクシャフトを含む軸物の被加工物表面に接触させ押圧する剛性表面を有するシュー組立体とからなり、被加工物の回転軸が回転されて加工されるテープラップ装置において、案内台上で被加工物を支持するヘッドストックとテールストックを連結部材で一体的に連結し、案内台上で軸方向に移動可能に直線駆動用玉軸受又はころ軸受を介して支持し、案内台上のオシレーション機構のカム軸が一体的に連結したヘッドストックとテールストックを、該連結部材を介してオシレーション運動を与え、かつ該オシレーション機構のカム軸と該連結部材との間にシリンダを設け、被加工物を取替えるとき、該シリンダが該一体的に連結したヘッドストックとテールストックを該直線駆動用玉軸受又はころ軸受の１個のボール又はローラの１回転分以上のストロークだけ往復動させるようにしたことを特徴とするテープラップ装置のオシレーション機構を提供することによって上記した従来製品の課題を解決した。また、請求項２に記載の発明においては、該連結部材は連結部材本体、該連結部材本体と該ヘッドストックとテールストックとの間にそれぞれ設けた１対の小シリンダを有し、該シリンダは該連結部材本体と該案内台上のオシレーション機構のカム軸との間に設けられているテープラップ装置のオシレーション機構とした。
【発明の効果】
【０００６】
かかる構成により、本発明のテープラップ装置のオシレーション機構は、オシレーション機構のカム軸と該連結部材との間にシリンダを設け、被加工物を取替えるとき、該シリンダが該一体的に連結したヘッドストックとテールストックを該直線駆動用玉軸受又はころ軸受の１個のボール又はローラの１回転分以上のストロークだけ往復動させるようにしたので、直線駆動用玉軸受又はころ軸受の１個のボール又はローラの回転分のストロークだけ往復動の間に十分潤滑され、微小オシレートして直線駆動用玉軸受又はころ軸受の１個のボール又はローラが１回転することなく微小回転を繰返しても、直線駆動用玉軸受のボール又は直線駆動用ころ軸受のローラの微小回転面にフレッチイング摩耗が発生することがなく、直線駆動用玉軸受又はころ軸受のボール又はローラの寿命を延ばしたテープラップ装置のオシレーション機構を提供するものとなった。
【発明を実施するための最良の形態】
【０００７】
本発明を実施するための最良の形態の一例を図面を参照して説明する。図１は本発明の実施形態の回転面加工用テープラップ装置のオシレーション装置の構成を示す概略要部側面図でテープラップ機構を省略して示し、図２は図１の概略上面図を示す。本発明の実施形態の回転面加工用テープラップ装置のオシレーション装置は、共に図示しない研磨材被覆テープと、テープ研磨材被覆面をクランクシャフトを含む軸物の被加工物 1表面に接触させ押圧する剛性表面を有するシュー組立体とからなり、被加工物の回転軸 2が回転されて加工されるテープラップ装置において、案内台 3上で被加工物を支持するヘッドストック 4とテールストック 5を連結部材 6で一体的に連結し、案内台 3上で軸方向に移動可能に直線駆動用玉軸受 7、7（直線駆動用ころ軸受でもよい）を介して支持し、案内台 3上のオシレーション機構 8のカム軸 9が一体的に連結したヘッドストック 4とテールストック 5を、連結部材 6を介してオシレーション運動を与え、かつオシレーション機構 8のカム軸 9と連結部材 6との間にシリンダ10を設け、被加工物 1を取替えるとき、シリンダ10が一体的に連結したヘッドストック 4とテールストック 5を直線駆動用玉軸受 7、7の１個のボール（又は直線駆動用ころ軸受のローラでもよい）の１回転分以上のストロークだけ往復動させるようにした。
【０００８】
連結部材 6は連結部材本体13、連結部材本体13とヘッドストック 4とテールストック 5との間にそれぞれ設けた１対の小シリンダ 11、12を有し、ヘッドストック 4とテールストック 5をそれぞれ案内台 3上で軸方向に移動可能にし、シリンダ10は連結部材本体13と案内台 3上のオシレーション機構 8のカム軸 9との間に設けられている。14はヘッドストック 4の駆動モータである。
【０００９】
かかる構成により、本発明の実施形態のテープラップ装置のオシレーション機構は、オシレーション機構のカム軸と該連結部材との間にシリンダを設け、被加工物を取替えるとき、該シリンダが該一体的に連結したヘッドストックとテールストックを該直線駆動用玉軸受又はころ軸受の１個のボール又はローラの１回転分以上のストロークだけ往復動させるようにしたので、直線駆動用玉軸受又は直線駆動用ころ軸受の１個のボール又はローラの回転分のストロークだけ往復動の間に十分潤滑され、微小オシレートして直線駆動用玉軸受又は直線駆動用ころ軸受の１個のボール又はローラが１回転することなく、微小回転を繰返しても、直線駆動用玉軸受又は直線駆動用ころ軸受のボール又はローラの微小回転面にフレッチイング摩耗が発生することがなく、直線駆動用玉軸受又はころ軸受のボール又はローラの寿命を延ばしたテープラップ装置のオシレーション機構を提供するものとなった。
【図面の簡単な説明】
【００１０】
【図１】本発明の実施形態の回転面加工用テープラップ装置のオシレーション装置の構成を示す概略要部側面図でテープラップ機構を省略して示す。
【図２】図１の概略上面図を示す。
【符号の説明】
【００１１】
１：被加工物  ２：回転軸  ３：案内台  ４：ヘッドストック    ５：テールストック
６：連結部材  ７：直線駆動用玉軸受    ８：オシレーション装置  ９：カム軸
10：シリンダ  11、12 ：小シリンダ      13：連結部材本体       71 ：ボール
【図１】
0004646222.tif 000002
【図２】
0004646222.tif 000003